(57)【要約】【課題】あおり止め線を連結するために、棚線連結用とは別に設けていた専用の連結用線状部材を不要とする。【解決手段】棚線連結用線状部材４００に係合される線状部材係合部２１，２２と、その上方に延び、あおり止め線連結部３３ａを備えた上方向突出部３０とを有している。線状部材係合部２１，２２を、略水平方向に延びる棚線連結用線状部材４００に係合させれば、棚線連結用線状部材４００よりも上方に、あおり止め線連結部３３ａを位置させることができる。このあおり止め線連結部３３ａにあおり止め線３００を連結することで、棚線２００に対して上方に離間した位置にあおり止め線３００を容易に配設することができる。【選択図】  図５
2020184904.tif 000002
【特許請求の範囲】
【請求項１】
温室内において所定の高さで設けられるカーテン部材の開閉方向に沿って前記カーテン部材の下側に張られる棚線を連結するための棚線連結用線状部材に係合可能な線状部材係合部と、
前記線状部材係合部から上方に延びる上方向突出部と
を有し、
前記上方向突出部に、前記カーテン部材の開閉方向に沿って前記カーテン部材の上側に張られるあおり止め線が連結されるあおり止め線連結部が設けられていることを特徴とするあおり止め線連結具。
【請求項２】
前記線状部材係合部から前記カーテン部材の開閉方向に延び、前記棚線に係合する棚線係合部を有する棚線張設方向突出部を備える請求項１記載のあおり止め線連結具。
【請求項３】
前記上方向突出部及び前記棚線張設方向突出部が、角部に位置する前記線状部材係合部を介して、側面視で略Ｌ字状に形成されている請求項２記載のあおり止め線連結具。
【請求項４】
前記上方向突出部は、正面視で前記線状部材係合部に向かうほど拡開する向きの略Ｖ字状をなす左右の側辺部を備えて形成され、その上部に前記あおり止め線連結部が設けられ、
前記棚線張設方向突出部は、平面視で前記線状部材係合部に向かうほど拡開する向きの略Ｖ字状をなす左右の側辺部を備えて形成され、前記左右の側辺部に前記棚線係合部が設けられている請求項３記載のあおり止め線連結具。
【請求項５】
前記線状部材係合部は、側面視で略Ｌ字状の内側に開口部を有する略環状に形成され、前記棚線連結用線状部材が前記開口部を介して挿入される請求項４記載のあおり止め線連結具。
【請求項６】
前記あおり止め線連結部は、前記上方向突出部の上部において、前記棚線張設方向突出部の突出方向に突出する連結用突出部からなる請求項４又は５記載のあおり止め線連結具。
【請求項７】
前記棚線張設方向突出部は、前記左右の側辺部の各先端部同士が分離されており、前記各先端部に、前記棚線に係合可能な前記棚線係合部が設けられている請求項４〜６のいずれか１に記載のあおり止め線連結具。
【発明の詳細な説明】
【技術分野】
【０００１】
本発明は、温室内において所定高さに配置されるカーテン部材が風等によりあおられることを防止するあおり止め線を設置するために用いられるあおり止め線連結具に関する。
【背景技術】
【０００２】
特許文献１には、プラスチックフィルム等からなる保温用、遮光用のカーテン部材を、温室内の上方空間に配置し、これを開閉して室内環境を調整する温室用カーテン装置が開示されている。特許文献１は、高さを異ならせて配置される第１及び第２のカーテン部材を有する２層式であるが、それぞれの基端縁が温室の側面に設けた鋼材やパイプ材等に固定され、その反対側の端縁（先端縁）に先導パイプが連結され、カーテン部材の開閉方向に沿って配設した駆動ワイヤーを先導パイプに連結して、駆動ワイヤーによって先導パイプを移動させて各カーテン部材を開閉する。
【先行技術文献】
【特許文献】
【０００３】
【特許文献１】特開２００６−３２５４０１号公報
【発明の概要】
【発明が解決しようとする課題】
【０００４】
特許文献１の第１及び第２カーテン部材は、それぞれ、温室の側面間に掛け渡される第１及び第２棚線上に支持され、開閉時には、各棚線上を先導パイプと共に移動する。その一方、各カーテン部材が風によってあおられてばたつくことを防止するため、各棚線に対応して、各カーテン部材の上方にあおり止め線が温室の側面間に掛け渡されている。
【０００５】
各棚線との間に各カーテン部材を配置するため、あおり止め線は、各棚線から数ｃｍ上方に設けられている。具体的には、特許文献１の図２に示されているように、一方の棚線５０が温室の各側面に設けた鋼材１１１，１２１の上部付近間に掛け渡され、各鋼材１１１，１２１の外側を被覆し、各鋼材１１１，１２１よりも上下に数ｃｍ突出するフランジ部を有する取り付けカバーのフランジ部上端付近間に一方のあおり止め線５１が掛け渡されている。他方の棚線６０は、取り付けカバーのフランジ部下端付近間に掛け渡されており、他方のあおり止め線６１はその数ｃｍ上方に位置する各鋼材１１１，１２１の下部付近間に掛け渡されている。
【０００６】
すなわち、カーテン部材の下方への垂れ下がりを防止するための、カーテン部材の下側を支持する棚線と、カーテン部材があおられてばたつくことを防止するための、カーテン部材の上側に配置されるあおり止め線とは、ともにカーテン部材の開閉方向である温室の両側面の対向方向に掛け渡されるものでありながら、各側面において、異なる高さの部材に連結する必要がある。そのため、特許文献１では、各鋼材１１１，１２１の上部及び下部と、取り付けカバーのフランジ部の上端及び下端とのそれぞれに、棚線やあおり止め線を連結する部材を設けている。
【０００７】
特許文献１に限らず、このような棚線及びあおり止め線を配置する場合、カーテン部材の開閉方向が、通常、温室の両側面の対向方向であるため、各側面にワイヤーやパイプ材などの連結用線状部材を異なる高さで、カーテン部材の開閉方向に略直交する略水平方向に延びるように設け、そのそれぞれに棚線及びあおり止め線の各端部を連結している。すなわち、温室の各側面には、棚線用及びあおり止め線用の２つの連結用線状部材を設ける必要があり、温室の設置作業の煩雑化や設置コストの増加を招く要因にもなる。
【０００８】
設置作業の簡略化等のため、側面に設ける連結用線状部材となるワイヤーを１本とし、その１本のワイヤーに棚線及びあおり止め線をともに連結する場合もある。しかし、その場合には、棚線及びあおり止め線間の隙間が狭くなり、カーテン部材の動きの円滑性が損なわれたり、側面に近づくほど隙間がより狭くなるため、カーテン部材をより側面に寄せようとする場合には、カーテン部材が両者に挟まれて傷ついたりする場合もある。
【０００９】
本発明は上記に鑑みなされたものであり、従来、あおり止め線を連結するために、棚線連結用とは別に設けていた専用の連結用線状部材を不要とすることができ、もって温室の設置作業の簡略化、低コスト化を図ることができる一方で、あおり止め線を棚線よりも上方に離間して配置でき、両者間にカーテン部材が挟み込まれることによる損傷を来すことも防止できるあおり止め線連結具を提供することを課題とする。
【課題を解決するための手段】
【００１０】
上記した課題を解決するため、本発明のあおり止め線連結具は、
温室内において所定の高さで設けられるカーテン部材の開閉方向に沿って前記カーテン部材の下側に張られる棚線を連結するための棚線連結用線状部材に係合可能な線状部材係合部と、
前記線状部材係合部から上方に延びる上方向突出部と
を有し、
前記上方向突出部に、前記カーテン部材の開閉方向に沿って前記カーテン部材の上側に張られるあおり止め線が連結されるあおり止め線連結部が設けられていることを特徴とする。
【００１１】
前記線状部材係合部から前記カーテン部材の開閉方向に延び、前記棚線に係合する棚線係合部を有する棚線張設方向突出部を備えることが好ましい。
前記上方向突出部及び前記棚線張設方向突出部が、角部に位置する前記線状部材係合部を介して、側面視で略Ｌ字状に形成されていることが好ましい。
【００１２】
前記上方向突出部は、正面視で前記線状部材係合部に向かうほど拡開する向きの略Ｖ字状をなす左右の側辺部を備えて形成され、その上部に前記あおり止め線連結部が設けられ、前記棚線張設方向突出部は、平面視で前記線状部材係合部に向かうほど拡開する向きの略Ｖ字状をなす左右の側辺部を備えて形成され、前記左右の側辺部に前記棚線係合部が設けられていることが好ましい。
【００１３】
前記線状部材係合部は、側面視で略Ｌ字状の内側に開口部を有する略環状に形成され、前記棚線連結用線状部材が前記開口部を介して挿入される構成であることが好ましい。
前記あおり止め線連結部は、前記上方向突出部の上部において、前記棚線張設方向突出部の突出方向に突出する連結用突出部からなることが好ましい。
前記棚線張設方向突出部は、前記左右の側辺部の各先端部同士が分離されており、前記各先端部に、前記棚線に係合可能な前記棚線係合部が設けられていることが好ましい。
【発明の効果】
【００１４】
本発明のあおり止め線連結具は、棚線連結用線状部材に係合される線状部材係合部と、その上方に延び、あおり止め線連結部を備えた上方向突出部とを有している。線状部材係合部を、略水平方向に延びる棚線連結用線状部材に係合させれば、棚線連結用線状部材よりも上方に、あおり止め線連結部を位置させることができる。このあおり止め線連結部にあおり止め線を連結することで、棚線に対して上方に離間した位置にあおり止め線を容易に配設することができる。
【００１５】
従って、あおり止め線専用の連結用線状部材を温室に設ける必要がなくなり、温室の設置作業の簡略化、設置コストの低減を図ることができる。しかも、あおり止め線を、棚線連結用線状部材に連結するわけではないため、あおり止め線と棚線との間隔が狭くなり、それらがカーテン部材に接触して損傷を来すといった不都合もない。
【図面の簡単な説明】
【００１６】
【図１】図１は、本発明の一の実施形態に係るあおり止め線連結具の斜視図である。
【図２】図２は、上記実施形態のあおり止め線連結具の正面図である。
【図３】図３は、上記実施形態のあおり止め線連結具の左側面図である。
【図４】図４は、上記実施形態のあおり止め線連結具の平面図である。
【図５】図５は、上記実施形態のあおり止め線連結具の使用方法を説明するための斜視図である。
【図６】図６は、上記実施形態のあおり止め線連結具の使用方法を説明するための左側面図である。
【図７】図７は、本発明の他の実施形態に係るあおり止め線連結具の斜視図である。
【発明を実施するための形態】
【００１７】
以下、図面に示した実施形態に基づき本発明をさらに詳細に説明する。図１〜図６は、本発明の一の実施形態に係るあおり止め線連結具１を説明するための図である。
【００１８】
図に示したように、本実施形態のあおり止め線連結具１は、線状部材係合部２１，２２、上方向突出部３０、及び棚線張設方向突出部４０を有している。本実施形態のあおり止め線連結具１は、所定径の金属製の線材１本を折り曲げ加工して形成されている。全体としては、側面視で、線状部材係合部２１，２２が角部に位置する略Ｌ字状（図３参照）となり、かつ、上方向突出部３０が上方向に延び、正面視で開口側が下向きの略Ｖ字状（図２参照）となり、棚線張設方向突出部４０が、カーテン部材の開閉方向（略水平方向）に延び、平面視で開口側が外向きの略Ｖ字状（図４参照）となる形状を有している。
【００１９】
本実施形態のあおり止め線連結具１は、上記のように、１本の金属製の線材を折り曲げ加工して形成されているため、上方向突出部３０の略Ｖ字状をなす左右の側辺部（上方向突出部側辺部）３１，３２及び棚線張設方向突出部４０の略Ｖ字状をなす左右の側辺部（棚線張設方向突出部側辺部）４１，４２は、それぞれ略Ｖ字の開口側に位置する端部３１ａ，４１ａ同士及び端部３２ａ，４２ａ同士がつながっており、その間に、線状部材係合部２１，２２が形成されている。
【００２０】
線状部材係合部２１，２２は、一方側の上方向突出部側辺部３１と棚線張設方向突出部側辺部４１との間、他方側の上方向突出部側辺部３２と棚線張設方向突出部側辺部４２との間のそれぞれに形成されている。従って、線状部材２１，２２は、互いに所定間隔をおいて左右一対設けられている。線状部材係合部２１，２２は、図３に示したように側面視で、上方向突出部３０よりも外方で棚線張設方向突出部４０よりも下方に、すなわち、斜め下外方に膨出する略環状に形成され、内側に開口部２１ａ，２２ａを有している。
【００２１】
上方向突出部３０は、上記のように、正面視で略Ｖ字状に形成され、左右一対の上方向突出部側辺部３１，３２が線状部材係合部２１，２２に向かうほど拡開している。上方向突出部側辺部３１，３２の各上端３１ｂ，３２ｂ同士は所定の間隔を有しており、上方向突出部３０は、各上端から略水平に延びて両者間を接続する上辺部３３を有している。この上辺部３３の略中央部には、棚線張設方向突出部４０と同方向である温室の内方に向かって平面視で略Ｕ字状に突出する連結用突出部３３ａが湾曲形成されており、この連結用突出部３３ａがあおり止め線連結部となっている。なお、あおり止め線のずれを抑制するためには、本実施形態の連結用突出部３３ａのように略Ｕ字状等に突出させた形状とすることが好ましいが、あおり止め線３００を強固に固定できれば、このような連結用突出部３３ａを形成せずに直線状の上辺部３３自体をあおり止め線連結部とすることも可能である。
【００２２】
棚線張設方向突出部４０は、上記のように、平面視で略Ｖ字状に形成され、左右一対の棚線張設方向突出部側辺部４１，４２が線状部材係合部２１，２２に向かうほど拡開している。棚線張設方向突出部側辺部４１，４２の各先端部４１ｂ，４２ｂ同士は、分離されている。各先端部４１ｂ，４２ｂには、開口側が互いに逆方向となる向きで略Ｕ字状に形成された棚線係合部４１ｃ，４２ｃが設けられている。また、棚線張設方向突出部側辺部４１，４２は長さ（端部４１ａ，４２ａから先端部４１ｂ，４２ｂまでの長さ）を若干異ならせ（図３及び図４参照）、各棚線係合部４１ｃ，４２ｃ同士が、棚線張設方向突出部側辺部４１，４２間の中心線（棚線張設方向突出部４０を平面視で三角形とみなした場合の左右一対の線状部材係合部２１，２２同士を結ぶ仮想線の二等分線）Ｘ上にほぼ整列可能に設けられている。また、常態においては、図４に示したように、各棚線係合部４１ｃ，４２ｃ同士が上記の中心線Ｘ上に整列せず、若干離間した状態となるように、左右一対の線状部材係合部２１，２２同士を結ぶ仮想線に対する棚線張設方向突出部側辺部４１，４２の立ち上げ角度が調整されている。
【００２３】
本実施形態のあおり止め線連結具１は次のように使用される。図５及び図６に基づいて説明する。まず、温室内には、所定の高さで、その上方空間を仕切るために開閉されるカーテン部材が設けられている。このカーテン部材は、通常、温室の両側面の対向方向に沿って開閉するように設けられている。カーテン部材の下側に配設される棚線２００は、温室の各側面に沿って、略水平方向に延びるように張設されたサイドワイヤー４００に、各端部が連結され、両側面間に掛け渡される。温室の各側面に略水平に設けられるサイドワイヤー４００が棚線連結用線状部材となる。
【００２４】
あおり止め線連結具１は、まず、サイドワイヤー４００の外方から近づけ、開口部２１ａ，２２ａを介して、該サイドワイヤー４００を左右２個の線状部材係合部２１，２２内に位置させる。次いで、棚線張設方向突出部４０の棚線張設方向突出部側辺部４１，４２同士を接近方向に押圧する力を付与し、２つの棚線係合部４１ｃ，４２ｃをともに棚線２００に係合させる。これにより、棚線係合部４１ｃ，４２ｃは、ともに上記の中心線Ｘにほぼ沿って整列することになるが、棚線張設方向突出部側辺部４１，４２同士を接近方向に押圧する力を解除すると、常態においては両者は離間しているため、その状態へ復元しようとして、棚線係合部４１ｃ，４２ｃは、棚線２００をその直径方向に互いに逆方向から押圧して係合する。
【００２５】
その結果、あおり止め線連結具１は、棚線連結用線状部材であるサイドワイヤー４００及び棚線２００に、左右２個の線状部材係合部２１，２２と、ほぼ一列になっている棚線係合部４１ｃ，４２ｃとの計３点で安定して支持され、上方向突出部３０が上方に延びる姿勢となる。
【００２６】
この状態で、上方向突出部３０の上部に位置するあおり止め線連結部である連結用突出部３３ａに、カーテン部材の上側に配置されるあおり止め線３００の端部を連結する。これにより、あおり止め線３００は、棚線２００に対して、上方向突出部３０の線状部材係合部２１，２２からの突出高さに相当する分上方の位置に配設される。カーテン部材の開閉動作時に、カーテン部材があおり止め線３００に押し付けられて損傷を来さないようにするため、上方向突出部３０の突出高さ、すなわち、上辺部３３及び連結用突出部３３ａの線状部材係合部２１，２２からの高さは、カーテン部材の大きさ等にもよるが約３０〜１００ｍｍ程度とすることが好ましい。
【００２７】
棚線連結用線状部材として設けられるサイドワイヤー４００に本実施形態のあおり止め線連結具１を配設すれば、あおり止め線３００を配設するために従来必要であった専用の連結用線状部材を温室の側面に設けることなく、あおり止め線３００を棚線２００の上方に配設することができる。しかも、あおり止め線連結具１は、上記のように、棚線連結用線状部材として設けられるサイドワイヤー１１０に簡単に支持させることができるため、温室の設置作業の簡略化、設置コストの低減に資する。
【００２８】
図７は、他の実施形態に係るあおり止め線連結具１００を示す。このあおり止め線連結具１００は、合成樹脂により、線状部材係合部１２１，１２２、上方向突出部１３０、及び棚線張設方向突出部１４０を一体成形している。また、上方向突出部１３０を構成する左右の上方向突出部側辺部１３１，１３２及び棚線張設方向突出部１４０を構成する左右の棚線張設方向突出部側辺部１４１，１４２等、いずれも所定幅、所定厚さの板状体として成形されている。
【００２９】
上方向突出部１３０及び棚線張設方向突出部１４０がいずれも略Ｖ字状をなす形状で形成されていることは上記実施形態と同様である。線状部材係合部１２１，１２２は、斜め下外方に突出するのではなく、一方の上方向突出部側辺部１３１と棚線張設方向突出部側辺部１４１との境界の内面、他方の上方向突出部側辺部１３２と棚線張設方向突出部側辺部１４２との境界の内面に、それぞれ内側に開口部１２１ａ，１２２ａを有する略環状となるように一体成形されている。
【００３０】
また、あおり止め線連結部である連結用突出部１３３ａは、上部突出部１３０の上辺部１３３の略中央部に、温室の内方に向かって平面視で鈎状に突出するように形成されている。また、棚線張設方向突出部１４０の棚線張設方向突出部側辺部１４１，１４２に形成される棚線係合部１４１ｃ，１４２ｃは、下方に開口を有する略Ｕ字状に形成されている。
【００３１】
本実施形態のあおり止め線連結部１００も、上記実施形態と全く同様に、線状部材係合部１２１，１２２を棚線連結用線状部材となるサイドワイヤー４００に係合させると共に、棚線張設方向突出部１４０の棚線係合部１４１ｃ，１４２ｃを棚線２００に係合させて配置する。そして、上方向突出部１３０の上辺部１３３に形成した鈎状の連結用突出部１３３ａにあおり止め線３００を連結する。これにより、あおり止め線連結用のサイドワイヤーを温室に設けることなく、あおり止め線を棚線の上方に離間して配置することができ、あおり止め線を配設する作業の簡略化、コストの低減化を図ることができる。
【００３２】
このように本実施形態のあおり止め線連結具１００も上記実施形態のあおり止め線連結具１と同様の作用、効果を発揮できるが、金属製の線材で形成した上記実施形態のあおり止め線連結具１は、より低コストで、かつ、耐久性も高いため好ましい。
【００３３】
また、上記いずれの実施形態も、棚線張設方向突出部４０，１４０を設けている。棚線張設方向突出部４０，１４０を設け、それらに形成した棚線係合部４１ｃ，４２ｃ，１４１ｃ，１４２ｃを棚線２００に係合させることで、上方向突出部３０，１３０の内方への倒れを防止し、安定した姿勢とすることができる。そのため、棚線張設方向突出部４０，１４０を設けた構造が好ましい。しかしながら、線状部材係合部２１，２２，１２１，１２２をサイドワイヤー４００等の棚線連結用線状部材に係合させるだけで、上方向突出部３０，１３０が安定して上方に延びる姿勢になる場合、例えば、棚線連結用線状部材が長尺な所定径のパイプ材からなり、線状部材係合部２１，２２，１２１，１２２がこのパイプ材に嵌合して配設され、それだけで、温室の内方への倒れが防止されるような場合には、棚線張設方向突出部４０，１４０を省略した構造のあおり止め線連結具とすることもできる。
【００３４】
また、従来技術の項で取り上げた特許文献１は、２層式のカーテン部材であるが、本発明のあおり止め線連結具は、このような複層式のカーテン部材に限らず、単層式のカーテン部材など、カーテン部材の形式に拘わらず、あおり止め線の連結に用いることができることはもちろんである。
【符号の説明】
【００３５】
１，１００  あおり止め線連結具
２１，２２，１２１，１２２  線状部材係合部
３０，１３０  上方向突出部
３１，３２，１３１，１３２  上方向突出部側辺部
３３ａ，１３３ａ  連結用突出部（あおり止め線連結部）
４０，１４０  棚線張設方向突出部
４１，４２，１４１，１４２  棚線張設方向突出部側辺部
４１ｃ，４２ｃ，１４１ｃ，１４２ｃ  棚線係合部
２００  棚線
３００  あおり止め線
４００  サイドワイヤー（棚線連結用線状部材）
【図１】
2020184904.tif 000003
【図２】
2020184904.tif 000004
【図３】
2020184904.tif 000005
【図４】
2020184904.tif 000006
【図５】
2020184904.tif 000007
【図６】
2020184904.tif 000008
【図７】
2020184904.tif 000009